(57)【要約】  【課題】  本発明は、扉による熱漏洩を軽減するとともに庫内を確実に密閉することができる冷蔵庫を提供することを目的とする。  【解決手段】  扉支え４０を介して本体１開口部を開閉自在に閉塞する引出し式の扉８と、この扉８の裏面２２に設けられ閉扉時に本体１開口縁部と密着するガスケット２７と、本体１内部、扉８又は扉支え４０に設けられ、閉扉時に庫体開口縁部とガスケット２７を磁力により密着させる磁力発生手段５０とを備え、ガスケット２７内にはマグネットを用いない。【選択図】  図４
2006250474.tif 000002
【特許請求の範囲】
【請求項１】
扉支えを介して本体開口部を開閉自在に閉塞する引出し式の扉と、この扉の裏面に設けられ閉扉時に前記本体開口縁部と密着するガスケットと、前記本体内部、前記扉又は扉支えに設けられ、閉扉時に前記本体開口縁部と前記ガスケットを磁力により密着させる磁力発生手段とを備え、前記ガスケット内にはマグネットを用いないことを特徴とする冷蔵庫。
【請求項２】
扉支えを磁性体で形成し、磁力発生手段をこの扉支えの後部と対向する位置に配設したことを特徴とする請求項１に記載の冷蔵庫。
【請求項３】
閉扉時において、扉支えの後部と磁力発生手段の間には空間部を設けたことを特徴とする請求項２に記載の冷蔵庫。
【請求項４】
閉扉時において、扉支えの後部と磁力発生手段の間には緩衝材を設けたことを特徴とする請求項２に記載の冷蔵庫。
【請求項５】
貯蔵室を区画する仕切壁を設け、この仕切壁を非磁性体により成形したことを特徴とする請求項１に記載の冷蔵庫。
【請求項６】
本体開口部を開閉自在に閉塞する引出し式の扉と、この扉の裏面に設けられ閉扉時に前記本体開口縁部と密着するガスケットと、前記扉裏面の左右に設けられ本体内部に設けられたレールを介して前後方向に移動可能とする鋼板製の扉支えと、この扉支えの後部と対向する庫内背面部に設けられ、閉扉時には扉支えを吸引して前記本体開口縁部と前記ガスケットを密着させるマグネットとを備え、前記ガスケット内には磁石を用いないことを特徴とする冷蔵庫。
【発明の詳細な説明】
【技術分野】
【０００１】
本発明は、扉裏面にガスケットを有する引出し式扉を備えた冷蔵庫に関する。
【背景技術】
【０００２】
従来より、冷蔵庫の扉には熱漏洩を防止するためガスケットを設けている。このガスケットは、扉裏面の内周縁に亙って設けられ内部にはひも状のゴムマグネットを設けており、閉扉時にはその磁力によりガスケットが鋼板製の本体開口縁部に吸着して庫内を密閉している（例えば、特許文献１）。
【０００３】
【特許文献１】特開２００３−６５６６４号公報
【発明の開示】
【発明が解決しようとする課題】
【０００４】
しかしながら、従来の構成ではガスケットの吸着力により庫内を密閉しているが、ガスケット内部の吸着体であるマグネットは、熱伝導率が高いため、鋼板製の本体開口縁部を介して熱漏洩が大きく、庫内温度上昇の一因となっていた。
【０００５】
本発明は上記問題を考慮してなされたものであり、扉のガスケットシール部からの熱漏洩を低減するとともに庫内を確実に密閉することができる冷蔵庫を提供することを目的とする。
【課題を解決するための手段】
【０００６】
本発明の冷蔵庫は、扉支えを介して本体開口部を開閉自在に閉塞する引出し式の扉と、この扉の裏面に設けられ閉扉時に前記本体開口縁部と密着するガスケットと、前記本体内部、前記扉又は扉支えに設けられ、閉扉時に前記本体開口縁部と前記ガスケットを磁力により密着させる磁力発生手段とを備え、前記ガスケット内にはマグネットを用いないことを特徴とする。
【発明の効果】
【０００７】
上記発明によれば、ガスケット内にはマグネットを用いないため、本体開口縁部からの熱漏洩を低減することができるとともに、庫内などに設けた磁力発生手段によりガスケットを本体開口縁部に密着させているため、庫内を確実に密閉することができる。
【発明を実施するための最良の形態】
【０００８】
以下に図１ないし図５を参照して本発明に係る冷蔵庫の一実施形態について説明する。
【０００９】
図１は本発明の冷蔵庫の縦断面図であり、冷蔵庫本体１内には冷蔵室２，野菜室３，切替室４，冷凍室６を上から順に設けており、切替室４の側方には図示しない製氷室を設けている。冷蔵室２及び冷凍室６に背面には、それぞれ冷蔵用ファン１１，冷蔵用冷却器１２及び冷凍用ファン１５，冷凍用冷却器１６を設けており、これらのファン及び冷却器の作用により各貯蔵室が冷却され、それぞれの設定温度に保持されている。
【００１０】
この場合、冷蔵室２は冷蔵用冷却器１２により生成された冷気が送風ダクト１３を介して室内に吹出されることにより冷却され、野菜室３は冷蔵室２に吹出された冷気の一部が室内に吹出されることにより冷却される。野菜室３を冷却し終えた空気は、野菜室３の背面に設けられたリターンダクト１４を介して冷蔵用冷却器１２に戻り再び熱交換される。
【００１１】
冷蔵室２の前面には冷蔵室扉７をその一端を枢支して回転自在に設けており、野菜室３，切替室４，冷凍室６の前面にはそれぞれ引出し式の扉８〜１０を前後方向に引出し自在に設けている。
【００１２】
各扉８〜１０の構造はほぼ同一構造であるため、野菜室３に設けられた扉８を代表してその構造について説明する。図２は本発明の一実施形態を示す扉及び仕切壁の縦断面図であり、扉８は、両縁側を後方に折り曲げ、前面を幅方向に亙ってラウンド形状に湾曲させることで扉本体の前面と側面とを構成する外板２１と、室内側面を構成する内板２２との上下開口をドアキャップ２４により閉塞し、内部空間内に断熱材２３を現場発泡により充填させて構成している。
【００１３】
内板２２の内周縁には溝部２５を形成し、この溝部２５には断面袋状で内板２２の周縁に沿って枠状に形成したガスケット２７を嵌入させている。このガスケット２７の内部には、本体前面の開口部周縁や仕切壁の前部に磁力により吸着するマグネットを設けていない。
【００１４】
３０は野菜室３と切替室５や製氷室と区画する断熱仕切壁であり、この断熱仕切壁３０は、薄肉の成形樹脂３１間に発泡スチロールなどの断熱材３２を充填させて形成している。断熱仕切壁３０の前部には、断面エ字状に成形した合成樹脂製の前仕切３３を取付けており、この前仕切３３の内部には発泡スチロールなどの断熱材３４を設けている。また、前仕切３３の前部には、前仕切３３の開口部を閉塞する前仕切板３５を取付けており、この前仕切板３５と断熱材３４との間には、結露を防止する防露パイプ３６を設けている。
【００１５】
前記前仕切板３５は、熱伝導率の低い材料、例えば非磁性体である合成樹脂などで成形させておくことが好ましく、前仕切３３と一体成形させてもよい。
【００１６】
なお、内板２２又は前仕切３３にはパッキン２８，３８を固定するリブ２２ａ，３３ａを設けており、このパッキン２８，３８がそれぞれ前仕切３３や内板２２と閉扉時に当接又は近接することで、庫内外間に独立空間を形成し、庫内の熱漏洩を抑制している。
【００１７】
図３は本発明の１実施形態を示す扉および収納ケースを後方から見た斜視図であり、扉８の裏面、具体的には内板２２の左右には上下の収納ケース４４ａ，４４ｂを支持する磁性体、ここでは鋼板製の扉支え４０を取付けている。この扉支え４０は、図１にも示すように後部に設けた可動ローラ４１が冷蔵庫本体１の内箱側壁に取付けたレール部４９内を摺動するとともに本体の内箱側壁の前部に設けた固定ローラ４８上を扉支え４０が摺動することで、使用者の操作により扉８を引出し可能にしている。
【００１８】
図４は本発明の１実施形態を示す閉扉時の扉支え後部の縦断面図であり、図３にも示すように、扉支え４０の後部を折り曲げて平坦部４２を成形させている。この平坦部４２と対向する庫内背面、具体的にはリターンダクト１４の前面に形成した凹部１４ａに磁力発生手段５０を取付けている。
【００１９】
この磁力発生手段５０は、閉扉するときに扉支え４０、ここでは平坦部４２を磁力により庫内側に引き込むことにより、ガスケット２７を本体開口縁部に密着させるものであり、本実施形態では、ケース５３内にマグネット５１を配設し、磁力を増幅させるための鉄心５２をマグネット５１の上下に設けて形成している。なお、磁力発生手段５０の磁力の強さは、マグネットガスケットを用いた扉における開扉力と同程度にしておくことが好ましい。
【００２０】
また、磁力発生手段５０と平坦部４２との間は、ガスケットが開口縁部に当接した状態では接触しないように、空間部を設けており、この空間部を設けていることにより閉扉時に衝突して異音が発生しないとともに、扉支え４０と磁力発生装置５０が密着していないため、扉８を引出す際にがたつくことを抑制することができる。
【００２１】
なお、磁力発生手段５０はマグネットに限られず、コイルに電流を流して電磁力を発生させるものでもよい。また、庫内側に設けた磁力発生手段５０で扉支え４０を吸引すればよいため、吸引力が強ければ扉支え４０に平坦部４２を形成しなくてもよく、吸引力が弱ければ扉支え４０側にもマグネットを取付けてもよい。さらに、扉支え４０の左右の後端部を連結する補強棒などを取付ける形態においては、この補強棒と吸引させてもよい。さらにまた、磁力発生手段５０の取付け位置は、扉支え４０や扉８の裏面又は補強棒などに設けてもよく、この場合、庫内内壁に鉄板などの磁性体を設けてこの磁性体と吸引させてもよい。
【００２２】
次に、本発明の作用について説明する。閉扉するときには、扉８を庫内奥側へ向け押し込むことで、扉支え４０が固定レール４８上を摺動し、可動ローラ４１がレール部４９内を摺動して、扉８が庫内奥方向へ移動する。そして、磁力発生手段５０が扉支え４０の平坦部４２を吸引することで、扉８裏面に設けられたガスケット２７が本体前面開口部および前仕切板３５と吸着する。
【００２３】
また、開扉時には、使用者が磁力よりも強い力で扉８を庫外側へ向けて引出すことで、平坦部４２が磁力発生装置５０から離れていき、扉支え４０を介して扉８が庫外へ引き出される。
【００２４】
上記した本発明によれば、閉扉時に庫内開口縁部とガスケット２７を磁力により密着させる磁力発生手段５０を庫内、扉８又は扉支え４０に設けているため、ガスケット２７内にマグネットを有していなくても、野菜室３内を密閉することができるとともに、内周縁に亙って設けられるマグネットの量に比して、少なくすることができるので安価に製造することができる。
【００２５】
一方、内周縁に亙って熱伝導率の高いマグネットを形成した構成と比して、庫内側に磁力発生手段５０を設けて、開口縁にはマグネットを設けていないので、熱漏洩を抑制することができる。
【００２６】
さらに、本発明では、扉支え４０を磁性体で形成し、磁力発生手段５０をこの扉支え４０の後部と対向する位置に配設したことにより、庫内後部のデットスペースを活用して庫内空間を有効活用することができる。また、マグネットをガスケット内に埋設する作業工程と比して、本発明の作業工程は磁力発生手段５０を庫内背面に設ければよいだけであるため、作業性に優れ安価に製造することができる。
【００２７】
さらにまた、従来の構成では、マグネットガスケットを扉裏面の内周縁に亙って配設されているため、開扉時にはもっとも負荷のかかった角部からマグネットガスケットが引き剥がされていくため、開扉動作において上下又は左右方向にがたつきが生じ易く、摺動性が劣っていたが、本発明では、左右一対の扉支え４０の後部に、それぞれ磁力発生手段５０を設けているため、上記のようながたつきがなく摺動性に優れた冷蔵庫を提供することができる。
【００２８】
さらにまた、本発明では、閉扉時において、扉支え４０の後部と磁力発生手段５０の間には空間部を設けているため、閉扉時に扉支え４０と磁力発生手段５０の衝突を防止することができ、もって衝突音による不快感を使用者に与えることがなく、破損も防止することができる。
【００２９】
この場合、図５の変形例にも示すように、扉支え４０と磁力発生手段５０の間に緩衝材５５を設けても同様の効果が得られる。
【００３０】
一方、マグネットガスケットを用いた従来の構成では、閉扉時の吸着上、仕切壁の前部には、熱伝導率の高い鋼板製の前仕切板を設けなければならなかったが、本発明によれば、ガスケットを磁力により吸着させる必要がないため、貯蔵室を区画する仕切壁を鋼板ではなく合成樹脂などの熱伝導率の低い部材で形成することができ、もって、熱漏洩をさらに抑制することができる。この場合、前仕切板３５が庫内の温度影響を受け難くなるため、防露パイプ３６を廃止しても結露を防止することができる。
【００３１】
なお、上述した構成は、本発明の１実施形態であり、発明の要旨を変更しない範囲で種々の変更が可能である。例えば、上述した構成は、野菜室３の引出し扉８において説明したが、これに限らず切替室４や製氷室又は冷凍室６などの引出し扉９，１０に採用してもよい。
【産業上の利用可能性】
【００３２】
本発明は、引出し式扉を備えた種々の冷蔵庫に適応可能である。
【図面の簡単な説明】
【００３３】
【図１】本発明の１実施形態を示す冷蔵庫の縦断面図である。
【図２】図１の野菜室と切替室の仕切壁の前部を示す縦断面図である。
【図３】図１の野菜室扉および収納ケースを後方から見た斜視図である。
【図４】図１の扉支えの後部周辺を示す縦断面図である。
【図５】本発明の他の実施形態を扉支えの後部周辺の縦断面図である。
【符号の説明】
【００３４】
１…冷蔵庫本体            ３…野菜室                ８…扉
１４…リターンダクト      ２１…外板                ２２…内板
２３…断熱材              ２７…ガスケット          ３０…断熱仕切壁
３３…前仕切              ３５…前仕切板            ３６…防露パイプ
４０…扉支え              ４２…平坦部              ４９…レール
５０…磁力発生手段        ５１…マグネット          ５２…鉄心
５３…ケース
【図１】
2006250474.tif 000003
【図２】
2006250474.tif 000004
【図３】
2006250474.tif 000005
【図４】
2006250474.tif 000006
【図５】
2006250474.tif 000007